(57)【特許請求の範囲】
【請求項１】
柱と梁とで囲まれる面内を補強部材で補強する耐震補強工法において、
前記柱及び梁から前記補強対象の面内に向けて鋼管コッターを、コアビット周囲に吸音パッドを挿着したコアボーリングで穿孔した溝に樹脂製接着材で固定して所望数突設し、
対向するフェイスシェルを繋ぐウェブに設けられた凹部によってブロック内の空間が縦横に空間が連通するように形成されてなるコンクリートブロックを設け、
該コンクリートブロックの中央の貫通孔には前記縦筋を配筋しないようにして前記梁側の前記鋼管コッター間に縦筋を配筋して最下段の前記コンクリートブロックを積み上げ、
前記柱側の鋼管コッター間で前記コンクリートブロックのウェブに設けられた凹部に横筋を２段に１本の割合で配筋しながら前記コンクリートブロックを一段ごとに組積みし、
前記梁下までコンクリートブロックを組積みした後、現場にて混練した高靱性モルタルを前記コンクリートブロック内に圧入して充填し、
前記梁と最上段コンクリートブロックとの間の空間に型枠を組立て、
前記型枠内に前記高靱性モルタルを充填し、
前記鋼管コッターは、本体である筒体と、該筒体にその下部を固着した縦筋とで構成されていること、
を特徴とするコンクリートブロックによる耐震補強工法。
【発明の詳細な説明】
【技術分野】
【０００１】
本発明は、既存の建物に対する耐震補強としてのコンクリートブロックとそれによる耐震補強工法に関するものである。
【背景技術】
【０００２】
従来、既存建物を耐震補強する工法としては、図６に示すように、鉄筋を組んでこれをあと施工のアンカー筋やスパイラル筋で柱や梁に固定して、型枠工事によりコンクリートを打設して補強する方法や、柱梁及び床に囲まれた面内に接着材で一体化しながらブロックを積んで壁を構築する工法が知られている（特許文献１参照）。
【特許文献１】特開平１０−２９２６３９号公報
【発明の開示】
【発明が解決しようとする課題】
【０００３】
しかし、従来のコンクリートブロックによる耐震補強工法では、接着材の施工による接着強度のバラツキや、コストが嵩むとともに接着材の取り扱いに熟練を要する。更に、あと施工アンカー工事の騒音・振動が大きく、型枠工事における作業範囲に広いスペースが必要なこと、騒音・振動が大きいこと、割裂補強筋の配筋が困難であること、コンクリートを輸送する配管が必要であること、などが従来の課題である。本発明に係るコンクリートブロックによる耐震補強工法は、このような課題を解決するために提案されたものである。
【課題を解決するための手段】
【０００４】
本発明に係るコンクリートブロックによる耐震補強工法の上記課題を解決して目的を達成するための要旨は、柱と梁とで囲まれる面内を補強部材で補強する耐震補強工法において、前記柱及び梁から前記補強対象の面内に向けて鋼管コッターを、コアビット周囲に吸音パッドを挿着したコアボーリングで穿孔した溝に樹脂製接着材で固定して所望数突設し、
対向するフェイスシェルを繋ぐウェブに設けられた凹部によってブロック内の空間が縦横に空間が連通するように形成されてなるコンクリートブロックを設け、
該コンクリートブロックの中央の貫通孔には前記縦筋を配筋しないようにして前記梁側の前記鋼管コッター間に縦筋を配筋して最下段の前記コンクリートブロックを積み上げ、
前記柱側の鋼管コッター間で前記コンクリートブロックのウェブに設けられた凹部に横筋を２段に１本の割合で配筋しながら前記コンクリートブロックを一段ごとに組積みし、
前記梁下までコンクリートブロックを組積みした後、現場にて混練した高靱性モルタルを前記コンクリートブロック内に圧入して充填し、
前記梁と最上段コンクリートブロックとの間の空間に型枠を組立て、
前記型枠内に前記高靱性モルタルを充填し、
前記鋼管コッターは、本体である筒体と、該筒体にその下部を固着した縦筋とで構成されていることである。
【発明の効果】
【０００７】
本発明のコンクリートブロックによる耐震補強工法によれば、騒音・振動が問題となっているあと施工アンカーの工事を、鋼管コッターを採用し、そのコッター用の削孔を、防音材を施したコアボーリングによって行うことで低騒音、低振動を実現した。
型枠工事は、コンクリートブロックを採用することで梁下の最小範囲に抑えられて、作業範囲が最上限に抑制されて小スペースで済み、低騒音、低振動で施工できる。
コンクリートブロックに高靱性モルタルを充填することで、割裂補強筋を省略することができるので、手間がかからず作業能率が向上する。
前記高靱性モルタルを作業現場で混練することができるので、コンクリートの運搬やコンクリート圧送管等も不要となり、作業能率が向上する。
【発明を実施するための最良の形態】
【０００８】
本発明に係るコンクリートブロックによる耐震補強工法は、まず、図１に示すように、耐震補強用のコンクリートブロック（ＲＭブロック）１を用意する。このコンクリートブロック１は、対向する両フェイスシェル２，２があり、そのフェイスシェル２，２を繋ぐウエブ３が、そのウエブ面に沿って平行な方向の端部に開口する凹部４ａ，４ｂ，４ｃ，４ｄによってブロック１内の空間が縦横に空間が連通するように形成され、外部から前記凹部４ａ〜４ｄに鉄筋５を該凹部の底面に沿って横入れで配筋できるのである。なお、平面視してウエブ３の真ん中に上下に貫通する貫通孔３ａが一つ、若しくは複数個ある。
【０００９】
前記コンクリートブロック１は、その大きさが横４００ｍｍ、縦２００ｍｍ、幅２００ｍｍで、高強度コンクリートブロック等である。
【００１０】
上記のような耐震補強用のコンクリートブロック１を使用して、補強工法を以下のように行う。まず、図２（Ａ）に示すように、柱６と梁７とで囲まれる面内８を補強部材で補強する耐震補強工法において、前記柱６及び梁７から前記補強対象の面内８に向けて鋼管コッター９を所望数突設する。
【００１１】
前記鋼管コッター９は、図３に示すように、構成の筒体９ａが本体で、縦筋９ｂ，９ｃが作業能率向上のために、その縦筋９ｂ，９ｃの下部を溶接して前記筒体９ａに固定してある。この筒体９ａの肉厚は５ｍｍ程度である。このコッター９を柱６若しくは梁７に固定するために、図４に示すように、コアボーリング１０により、先端部のコアビット周囲に吸音パッド１１を挿着して、所要深さの溝を穿孔するものである。そして、エポキシ樹脂等の接着材で、前記溝にコッター９を挿着して固定する。
【００１２】
次に、図２（Ｂ）に示すように、梁７間の鋼管コッター９に掛け渡して縦筋１２を配筋する。そして、調整モルタルで高さのレベル調整を行って、最下段のコンクリートブロック１を積み上げる。コンクリートブロック１同士の接着には、エポキシ系の接着剤を使用する。コンクリートブロック１のセットには、縦筋５（一部がコッター９の縦筋９ｂ，９ｃ）に対して、コンクリートブロック１の凹部４ａ若しくは凹部４ｂを先に水平にして横から押し当てるようにして差し込んで、コンクリートブロック１をセットするか、コンクリートブロック１を上下方向で傾けて凹部４ａ，４ｂを縦筋１２に押し当てるようにして、水平にセットする。なお、図５に示すように、コンクリートブロック１の貫通孔３ａには、縦筋１２の配筋が無い。
【００１３】
更に、前記柱６側の鋼管コッター９間に横筋１３（図１（Ｃ）参照）を、２段に１本の割合で配筋しながらコンクリートブロック１を一段ごとに組積みする。縦筋１２と横筋１３との連結は、結束線若しくは結束バンドで行う。前記梁７下までコンクリートブロック１を組積みした後、図２（Ｃ）に示すように、現場にて混練した高靱性モルタルを前記コンクリートブロック１内に、コンクリート圧送ポンプで充填する。
【００１４】
前記コンクリートブロック１は、図１（Ａ）に示すように、コンクリートブロック１内に置いて、凹部４ａ〜４ｄにより縦横の空間が互いに広く連通しているので、凹部４ａ〜４ｄ、貫通孔３ａに高靱性モルタルが流れよく密実に充填される。
【００１５】
次に、図２（Ｄ）に示すように、前記梁７と最上段コンクリートブロック１との間の空間に型枠を組立て、前記型枠内に前記高靱性モルタルを充填して施工する。これにより、耐震補強工事が完了する。
【図面の簡単な説明】
【００１６】
【図１】本発明に係るコンクリートブロック１の斜視図（Ａ）と、平面図（Ｂ）と、側面図（Ｃ）とである。
【図２】同本発明のコンクリートブロックによる耐震補強工法を手順に沿って説明する工程手順説明図（Ａ）〜（Ｄ）である。
【図３】同本発明に係る耐震補強工法における鋼管コッター９の斜視図である。
【図４】同本発明に係る耐震補強工法におけるコアボーリング１０による、鋼管コッター９用に溝を穿孔する様子を示す作業説明用斜視図である。
【図５】同本発明に係る耐震補強工法における、縦筋１２とコンクリートブロック１との配置を示す平面図である。
【図６】従来例に係る耐震補強工法を示す説明図で、正面図（Ａ）と、縦断面図（Ｂ）とである。
【符号の説明】
【００１７】
１          コンクリートブロック、
２          フェイスシェル、
３          ウエブ、                  ３ａ        貫通孔、
４ａ〜４ｄ  凹部、
５          鉄筋、
６          柱、
７          梁、
８          補強対象の面内、
９          鋼管コッター、            ９ａ        筒体、
９ｂ，９ｃ  縦筋、
１０        コアボーリング、
１１        吸音パッド、
１２        縦筋、
１３        横筋。
【図１】
0005520451.tif 000002
【図２】
0005520451.tif 000003
【図３】
0005520451.tif 000004
【図４】
0005520451.tif 000005
【図５】
0005520451.tif 000006
【図６】
0005520451.tif 000007